(57)【要約】【課題】コンクリート壁の表側に断熱層が設けられた断熱壁において、ガイド体のボルトガイド機能を有効に発揮させる。【解決手段】アンカー本体１１の一端側に、ボルト１７の先端部をアンカー本体１１の雌ねじ部１３に向けてガイドするガイド体１８を設ける。このガイド体１８は、コンクリート天井壁１５の表側に設けられた断熱層１９を貫通する筒状の延長部２１の先端に先広がりの主部２２を一体に設けて成り、かつ、延長部２１の周壁に、外周側に先開きの羽根状に突出する複数の抜け止め片２３…を設けた。【選択図】図５
2008050844.tif 000002
【特許請求の範囲】
【請求項１】
長さ方向の一端側にボルトがねじ込まれる雌ねじ部、他端側に拡開部を有するアンカー本体と、このアンカー本体の拡開部に打ち込まれることにより拡開部を径方向に拡開させて壁体のアンカー取付穴内に固定する楔体とを備えたアンカーにおいて、上記アンカー本体の一端側に、上記ボルトの先端部を雌ねじ部に向けてガイドするガイド体が設けられ、このガイド体は、上記壁体の表側に設けられた断熱層を貫通する筒状の延長部と、この延長部の先端に設けられた先広がりの主部とから成ることを特徴とするアンカー。
【請求項２】
ガイド体がアンカー本体とは別体に形成され、延長部がアンカー本体の一端側に嵌着されることによってガイド体がアンカー本体に取付けられたことを特徴とするアンカー。
【請求項３】
ガイド体の延長部の周壁に、断熱層に係止して抜け止め作用を行う抜け止め部が設けられたことを特徴とする請求項２記載のアンカー。
【請求項４】
延長部の周壁に、抜け止め部としての複数の抜け止め片が、外周側に先開きの羽根状に突出し、かつ、外周からの圧力により閉じ方向に弾性変形し得る状態で設けられたことを特徴とする請求項３記載のアンカー。
【請求項５】
長さ方向の一端側にボルトがねじ込まれる雌ねじ部、他端側に拡開部を有するアンカー本体と、このアンカー本体の拡開部に打ち込まれることにより拡開部を径方向に拡開させて壁体のアンカー取付穴内に固定する楔体とを備えたアンカーに用いられるガイド体であって、上記壁体の表側に設けられた断熱層を貫通するように上記アンカー本体の一端側に取付けられる筒状の延長部と、この延長部の先端に設けられた先広がりの主部とから成り、上記延長部の周壁に、複数の抜け止め片が、外周側に先開きの羽根状に突出し、かつ、外周からの圧力により閉じ方向に弾性変形し得る状態で設けられたことを特徴とするアンカー用ガイド体。
【発明の詳細な説明】
【技術分野】
【０００１】
本発明はコンクリート壁（天井壁、側壁、床壁その他）に固定されて各種設備を取付ける所謂後付け式のアンカー、及び同アンカーに用いられるガイド体に関するものである。
【背景技術】
【０００２】
コンクリート建築物の天井壁に取付けられるアンカーを例にとって背景技術を説明する。
【０００３】
図７に従来のアンカー、図８に施工状態をそれぞれ示す。
【０００４】
このアンカーは、円筒状のアンカー本体１と楔体２とによって構成される。
【０００５】
アンカー本体１は、長さ方向の一端側に雌ねじ部３、他端側に拡開部４を有し、この拡開部４に楔体２が挿入された状態で、アンカー全体が天井壁（コンクリートスラブ）５に穿設されたアンカー取付穴６内に挿入され、この後、図示しないパイプ状の打ち込み具によりアンカー本体１が穴奥側に打ち込まれることで楔体２が拡開部４に圧入される。
【０００６】
これにより、図８に示すようにアンカー取付穴６内で拡開部４が拡開して穴周壁に食い込み、アンカー全体が天井壁５に固定される。４ａ…は拡開部４を拡開変形させるためのスリットである。
【０００７】
この後、雌ねじ部３にボルト７がねじ込まれ、このボルト７によって天井材等の各種設備が天井壁５の下方に取付けられる。
【０００８】
このボルトねじ込み段階で、ボルト端を、高位置にあるアンカー本体１の雌ねじ部３に対して下方から位置合わせする操作が厄介であるため、この位置合わせ操作を助ける手段として、図示のようにアンカー本体１の雌ねじ部３側の端部（以下、これを先端部、反対側を基端部という）に先広がりのガイド体８を設け、このガイド体８によりボルト端を雌ねじ部３に向けてガイドする技術が公知である（特許文献１参照）。
【０００９】
ガイド体８は、アンカー本体１とは別部材として、プラスチックまたは薄い金属板材にて椀形に形成され、アンカー本体１の先端部に嵌着固定される。
【特許文献１】特開２００２−３０３３１２号公報
【発明の開示】
【発明が解決しようとする課題】
【００１０】
ところが、図９に示すように天井壁５の表側（下側）に発泡スチロール板等の断熱層９を設ける断熱壁構造がとられる場合、せっかくガイド体８を設けても、これが断熱層８内に入り込んでしまうため、所期のガイド機能を十分果たせなくなるという問題があった。
【００１１】
図９中、９ａは断熱層９に空けられたアンカー挿入穴、１０は断熱層９を下から支える断熱支持板である。
【００１２】
そこで本発明は、このような断熱壁に対してガイド体のガイド機能を有効に発揮させることができるアンカーを提供するものである。
【課題を解決するための手段】
【００１３】
請求項１の発明（アンカー）は、長さ方向の一端側にボルトがねじ込まれる雌ねじ部、他端側に拡開部を有するアンカー本体と、このアンカー本体の拡開部に打ち込まれることにより拡開部を径方向に拡開させて壁体のアンカー取付穴内に固定する楔体とを備えたアンカーにおいて、上記アンカー本体の一端側に、上記ボルトの先端部を雌ねじ部に向けてガイドするガイド体が設けられ、このガイド体は、上記壁体の表側に設けられた断熱層を貫通する筒状の延長部と、この延長部の先端に設けられた先広がりの主部とから成るものである。
【００１４】
請求項２の発明は、請求項１の構成において、ガイド体がアンカー本体とは別体に形成され、延長部がアンカー本体の一端側に嵌着されることによってガイド体がアンカー本体に取付けられたものである。
【００１５】
請求項３の発明は、請求項２の構成において、ガイド体の延長部の周壁に、断熱層に係止して抜け止め作用を行う抜け止め部が設けられたものである。
【００１６】
請求項４の発明は、請求項３の構成において、延長部の周壁に、抜け止め部としての複数の抜け止め片が、外周側に先開きの羽根状に突出し、かつ、外周からの圧力により閉じ方向に弾性変形し得る状態で設けられたものである。
【００１７】
請求項５の発明（アンカー用ガイド体）は、長さ方向の一端側にボルトがねじ込まれる雌ねじ部、他端側に拡開部を有するアンカー本体と、このアンカー本体の拡開部に打ち込まれることにより拡開部を径方向に拡開させて壁体のアンカー取付穴内に固定する楔体とを備えたアンカーに用いられるガイド体であって、上記壁体の表側に設けられた断熱層を貫通するように上記アンカー本体の一端側に取付けられる筒状の延長部と、この延長部の先端に設けられた先広がりの主部とから成り、上記延長部の周壁に、複数の抜け止め片が、外周側に先開きの羽根状に突出し、かつ、外周からの圧力により閉じ方向に弾性変形し得る状態で設けられたものである。
【発明の効果】
【００１８】
本発明によると、ガイド体を、断熱層を貫通する筒状の延長部と、この延長部の先端に設けられた先広がりの主部とによって構成したから、主部が壁外に突出する状態が得られるように延長部の長さを断熱層の厚みに応じた寸法に設定しておけば、断熱壁においてもガイド体によるガイド機能を有効に発揮させることができる。
【００１９】
この場合、請求項２〜４のアンカー及び本発明のガイド体によると、ガイド体をアンカー本体とは別部材とし、延長部をアンカー本体に取付ける構成としたから、延長部の長さが異なる複数種類のガイド体を用意し、これを断熱層の厚みに応じて使い分けることにより、断熱層の厚みの変動に関係なく一定したガイド機能を確保することができる。
【００２０】
また、請求項３,４のアンカー及び本発明のガイド体によると、ガイド体の延長部の周壁に、断熱層に係止して抜け止め作用を行う抜け止め部（請求項４及び本発明のガイド体では抜け止め片）を設けたから、アンカー本体にこれとは別体のガイド体を取付ける構成をとっても、ガイド体がアンカー本体から分離して脱落するおそれがない。
【００２１】
とくに請求項４のアンカー及び本発明のガイド体によると、抜け止め片を、外周側に先開きの羽根状に突出し、かつ、外周からの圧力により閉じ方向に弾性変形し得る状態で設けたから、この抜け止め片が、アンカー挿入時には抵抗とならず、アンカー取付後に抜け方向の力が働いたときには外向きに開いて確実な抜け止め効果を得ることができる。
【発明を実施するための最良の形態】
【００２２】
本発明の実施形態を図１〜図６によって説明する。
【００２３】
実施形態では、背景技術の説明に合わせて、図４,５に示すようにコンクリート天井壁１５の下方に断熱層１９が設けられた断熱天井壁に適用されるアンカーを例示している。図４,５中、２０は断熱層１９を下から支える断熱支持板である。
【００２４】
このアンカーは、先端側に雌ねじ部１３、基端側にすり割り１４ａ付きの拡開部１４を備えたアンカー本体１１と、このアンカー本体１１の拡開部１４に圧入される楔体１２と、ガイド体１８とによって構成される。
【００２５】
このガイド体１８は、プラスチックにより、断熱層１９を貫通し得る長さを持った円筒状の延長部２１と、この延長部２１の先端側に一体に設けられた先広がりの椀形をなす主部２２とから成り、アンカー施工に際して施工者の手により、あるいは出荷段階で、延長部２１の上端部がアンカー本体１１の先端部（雌ねじ部１３の外周）に嵌着されて取付けられる。
【００２６】
延長部２１の周壁には、周方向複数個所（たとえば４個所）に抜け止め片２３…が外周側に羽根状に突出し、かつ、外周からの圧力により閉じ方向に弾性変形し得る状態で一体に設けられている。
【００２７】
また、この抜け止め片２３…が設けられた周壁部分には、抜け止め片２３…が閉じ状態で嵌まり込み得る窓穴２４…が設けられている。
【００２８】
このアンカーの使用法及び作用を説明する。
【００２９】
図４に示すようにアンカー本体１１の基端側に楔体１２を挿入し、先端側にガイド体１８を取付けた状態で、アンカー全体を、予め断熱層１９に空けられたアンカー挿入穴１９ａを介して天井壁１５のアンカー取付穴１６に差し込む。
【００３０】
このとき、抜け止め片２３…は、アンカー挿入穴１９ａの周面との接触によって外周から受ける圧力により、図示のように図３の全開姿勢から閉じ方向に弾性変形し、延長部２１の外周側に少し突出する程度の半開姿勢となる。このため、この抜け止め片２３…によるアンカー挿入時の抵抗を最小限に小さくすることができる。
【００３１】
このとき、抜け止め片２３…は、基端側が延長部２１の窓穴２４に嵌まり込むため、閉じ方向に無理なく変形することができる。
【００３２】
この状態で、打ち込み具を用いてアンカー本体１１を穴奥側に打ち込むと、図５に示すように楔体１２が拡開部１４に圧入することで、拡開部１４がアンカー取付穴１６内で拡開して穴周壁に食い込み、アンカー全体が天井壁１５に固定される。
【００３３】
このアンカー固定状態で、ガイド体１８は、延長部２１が断熱層１９を貫通し、主部２２のみが壁外面（断熱支持板２０の下方）に突出した状態となる。いいかえれば、この状態が得られるように、断熱層１９の厚みに応じて延長部２１の長さ寸法が設定されている。
【００３４】
そこで、このガイド体１８によるガイド作用（位置合わせ作用）の助けを借りて雌ねじ部１３にボルト１７がねじ込まれ、このボルト１７によって天井材等の各種設備が天井壁下方に取付けられる。
【００３５】
詳しくは、ボルト端は主部２２により位置ずれや傾きを修正されて延長部２１に嵌まり込み、アンカー本体１１の雌ねじ部１３に向けて一直線にガイドされる。
【００３６】
こうして、このアンカーによると、断熱天井壁においてもガイド体１８によるガイド機能を有効に発揮させることができる。
【００３７】
この場合、別部材のガイド体１８をアンカー本体１１に取付けてアンカーを構成するため、延長部２１の長さが異なる複数種類のガイド体１８を用意し、これらを断熱層１９の厚みに応じて使い分けることにより、施工現場ごとに断熱層１９の厚みが変動する場合でも、一定したガイド機能を確保することができる。
【００３８】
一方、ガイド体１８の延長部２１の周壁に外周側に先開きの羽根状に突出する抜け止め片２３…を設けたから、この抜け止め片２３…が、断熱層１９（アンカー挿入穴１９ａの周面）に係止して抜け止め作用を行う。
【００３９】
この場合、抜け止め片２３…は、アンカー固定時点では前記のように半開姿勢となっているが、図６に示すようにガイド体１８に下向きの力Ｆが作用すると、逆向きの力を受けて図６二点鎖線で示すようにさらに開く。そして、この開き度は、下向きの力Ｆが大きいほど大きくなり、抜け止め力も強くなる。
【００４０】
なお、図１,２等に示すように抜け止め片２３…を先尖りに形成しておけば、断熱層１９に対する食い込み力を強化することができる。
【００４１】
この抜け止め片２３…の抜け止め作用により、施工後、何らかの外力によるガイド体１８の脱落を確実に防止することができる。
【００４２】
他の実施形態
（１）  上記実施形態では、抜け止め部として外周側に羽根状に突出する複数の抜け止め片２３…を設けたが、延長部２１の外周面に凸部、または逆止突起を設けてもよい。この凸部または逆止突起は、周方向の複数個所に分散して設けてもよいし、全周に亘って設けてもよい。
【００４３】
（２）  上記実施形態では、ガイド体１８をアンカー本体１１に嵌着するだけの構成をとったが、このガイド体１８をアンカー本体１１に対して、圧入固定や、互いの凹部と凸部の係合によって一旦取付後は外れない状態に固定してもよい。
【００４４】
（３）  本発明のアンカーは、空気層によって断熱層１９を構成する壁体（図４,５のコンクリート天井壁１５の下方に間隔を置いて断熱支持板２０のみを設けた壁体）にも適用することができる。
【００４５】
上記（２）（３）の場合、抜け止め部は不要となるため省略してもよい。
【００４６】
（４）  本発明のアンカーは、天井壁に限らず、側壁や床壁にも適用することができる。
【図面の簡単な説明】
【００４７】
【図１】本発明の実施形態にかかるアンカーの分解斜視図である。
【図２】同アンカーの組立斜視図である。
【図３】同アンカーの断面図である。
【図４】同アンカーの施工手順の１を示す断面図である。
【図５】同施工手順の２を示す断面図である。
【図６】図５の一部拡大図である。
【図７】従来のアンカーの斜視図である。
【図８】同アンカーの施工状態を示す断面図である。
【図９】断熱壁に従来のアンカーを適用した場合を示す断面図である。
【符号の説明】
【００４８】
１１  アンカー本体
１２  楔体
１３  アンカー本体の雌ねじ部
１４  同拡開部
１５  コンクリート天井壁
１６  アンカー取付穴
１７  ボルト
１８  ガイド体
１９  断熱層
２１  ガイド体の延長部
２２  ガイド体の主部
２３  抜け止め部としての抜け止め片
【図１】
2008050844.tif 000003
【図２】
2008050844.tif 000004
【図３】
2008050844.tif 000005
【図４】
2008050844.tif 000006
【図５】
2008050844.tif 000007
【図６】
2008050844.tif 000008
【図７】
2008050844.tif 000009
【図８】
2008050844.tif 000010
【図９】
2008050844.tif 000011